(57)【要約】      （修正有）【課題】奥行きのあるデザインを表現することができる額縁を提供する。【解決手段】第一開口部１６を有する外枠１１と、裏板１３と、該外枠及び該裏板の間に配置され、鑑賞物１８を収容可能であり、該第一開口部に臨んだ第二開口部１７を有する中枠１２とを備える。【選択図】図２
0003233592.tif 000002
【実用新案登録請求の範囲】
【請求項１】
第一開口部を有する外枠と、
裏板と、
前記外枠及び前記裏板の間に配置され、鑑賞物を収容可能であり、前記第一開口部に臨んだ第二開口部を有する中枠と、
を備える額縁。
【請求項２】
前記外枠、前記中枠及び前記裏板は、透明な素材で形成されている、
請求項１に記載の額縁。
【請求項３】
前記第一開口部は、前記第二開口部よりも小さい、
請求項１又は２に記載の額縁。
【考案の詳細な説明】
【技術分野】
【０００１】
本考案は、額縁に関する。
【背景技術】
【０００２】
従来から、絵画や写真などの鑑賞物を収納し壁や机上等に飾り付ける額縁が知られている。
【０００３】
従来の額縁は、外枠及び裏板からなり、外枠と裏板によって鑑賞物を挟み込む事によって収容し、鑑賞物とともに壁や机上等に飾り付けられることになる。
【０００４】
従来の額縁は、外枠と裏板からなる為、１つの鑑賞物しか収容できなかった。これに対して、例えば、予備の鑑賞物を複数収容可能な構造を有する裏板を備え、必要時に鑑賞物の交換が可能な差し込み式の額縁が特許文献１として開示されている。
【先行技術文献】
【特許文献】
【０００５】
【特許文献１】実用新案登録第３２２８３８１号公報
【考案の概要】
【考案が解決しようとする課題】
【０００６】
しかしながら、特許文献１に記載の技術では、鑑賞物を収容する構造が裏板に組み込まれているため、額縁そのものを立体感のある様々な形の額装に仕上げたり、額縁そのもので奥行きのあるデザインを表現したりすることが難しかった。
【０００７】
本考案は、このような課題に鑑みてなされたものであり、その目的は、立体感のある様々な形の額装に仕上げることができる額縁や、奥行きのあるデザインを表現することができる額縁を提供することにある。
【課題を解決するための手段】
【０００８】
本考案の第一態様に係る額縁は、第一開口部を有する外枠と、裏板と、前記外枠及び前記裏板の間に配置され、鑑賞物を収容可能であり、前記第一開口部に臨んだ第二開口部を有する中枠とを備える。
【０００９】
本考案の第二態様に係る額縁では、前記外枠、前記中枠及び前記裏板は、透明な素材で形成されている。
【００１０】
本考案の第三態様に係る額縁では、前記第一開口部は、前記第二開口部よりも小さい。
【考案の効果】
【００１１】
本考案によれば、立体感のある様々な形の額装に仕上げることができる額縁や、奥行きのあるデザインを表現することができる額縁を提供することができる。
【図面の簡単な説明】
【００１２】
【図１Ａ】本考案の一実施形態に係る額縁の正面図である。
【図１Ｂ】額縁の側面図である。
【図１Ｃ】額縁の斜視図である。
【図２】本考案の一実施形態に係る額縁において、部品毎に分解した状態を示す図である。
【図３Ａ】本考案の一実施形態に係る額縁において、外枠、中枠及び裏板の形状が異なる場合の額縁の正面図である。
【図３Ｂ】額縁の側面図である。
【図３Ｃ】額縁の斜視図である。
【図４】本考案の一実施形態に係る額縁において、接続具が棒状になっている場合の額縁を示す図である。
【図５】本考案の一実施形態に係る額縁において、接続具がフックを有している場合の額縁を示す図である。
【考案を実施するための形態】
【００１３】
図１Ａは、本考案の一実施形態に係る額縁１０の正面図である。また、図１Ｂは、額縁１０の側面図である。また、図１Ｃは、額縁１０の斜視図である。また、図２は、本考案の一実施形態に係る額縁１０において、部品毎に分解した状態を示す図である。
【００１４】
図１Ａ乃至図１Ｃに示すように、額縁１０は、外枠１１と、中枠１２と、裏板１３と、接続具１４及び１５とを備える。額縁１０は、中枠１２の開口部に写真や絵画等の鑑賞物１８を配置し、外枠１１、中枠１２及び裏板１３によって鑑賞物１８を挟み込む事によって、鑑賞物１８を収容する。
【００１５】
図２に示すように、外枠１１は、例えば、１ｍｍ以上の厚さの１枚以上のアルリル板などの透明な素材または不透明な素材で形成されており、第一開口部１６を有する。また、外枠１１は、接続具１４及び１５によって、中枠１２及び裏板１３と接続される。
【００１６】
中枠１２は、例えば１ｍｍ以上の厚さのアクリル板などの透明な素材または不透明な素材でできており、第二開口部１７を有する。また、中枠１２の厚さは、例えば、鑑賞物１８の厚さと同じである。第二開口部１７は、鑑賞物１８を収容できる大きさを有しており、例えば長方形である。上述したように、中枠１２は、接続具１４及び１５によって外枠１１及び裏板１３に接続されているが、その際、外枠１１の第一開口部１６が中枠１２の第二開口部１７に臨むように接続される。なお、外枠１１の第一開口部１６の大きさは、第二開口部１７より小さい。また、第一開口部１６は、例えば、角が削られており、削られた箇所に丸みが設けられている。
【００１７】
裏板１３は、例えば、１ｍｍ以上の厚さの１枚以上のアクリル板などの透明な素材または不透明な素材でできており、接続具１４及び１５によって、外枠１１及び中枠１２と接続される。
【００１８】
接続具１４は、接続具１５とともに外枠１１、中枠１２及び裏板１３を接続する。接続具１４及び１５は、例えば、それぞれボルト及びナットであり、脱着が可能である。なお、外枠１１、中枠１２及び裏板１３は、例えば、それぞれ異なるデザインの印刷が施されている。
【００１９】
本実施形態に係る額縁１０は、外枠１１、中枠１２及び裏板１３に異なるデザインの印刷が施されている。これによって、本実施形態に係る額縁１０は、奥行きがある様々なデザインを表現することができる。また、本実施形態に係る額縁１０は、外枠１１、中枠１２及び裏板１３の厚みを調整し、額縁の強度を上げることによって、より大型の額装とすることができる。
【００２０】
図３Ａは、本考案の一実施形態に係る額縁１０において、外枠１１、中枠１２及び裏板１３の形状が異なる場合の額縁１０Ａの正面図である。また、図３Ｂは、額縁１０Ａの側面図である。また、図３Ｃは、額縁１０Ａの斜視図である。
【００２１】
図３Ａ乃至図３Ｃに示すように、額縁１０Ａは、それぞれ形状が異なる外枠１１Ａと中枠１２Ａと裏板１３Ａからなる。
【００２２】
本実施形態に係る額縁１０Ａは、それぞれ形状が異なる外枠１１Ａ、中枠１２Ａ及び裏板１３Ａからなっている。これにより、本実施形態に係る額縁１０Ａは、外枠１１Ａ、中枠１２Ａ及び裏板１３Ａを好みの形にカット及び変形させることによって、立体感のある様々な形の額装となることができる。
【００２３】
図４は、本考案の一実施形態に係る額縁１０において、接続具１５が棒状になっている場合の額縁１０Ｂを示す図である。
【００２４】
図４に示すように、額縁１０Ｂは、接続具１５Ｂが裏板１３の背面部から突き出ており、棒状の形状をしている。これにより、本実施形態に係る額縁１０Ｂは立て置かれることが可能となる。
【００２５】
図５は、本考案の一実施形態に係る額縁１０において、接続具１５がフックを有している場合の額縁１０Ｃを示す図である。
【００２６】
図５に示すように、額縁１０Ｃは、接続具１５Ｃが裏板１３の背面部より突き出ており、かつ背面部側にフックを有している。これにより、本実施形態に係る額縁１０Ｃは、壁面への取り付けが可能となる。
【００２７】
なお、本考案は、上記した実施形態に限定されるものではなく、この考案の主旨を逸脱しない範囲で自由に変更できることは勿論である。あるいは、技術的に矛盾が生じない範囲で各々の構成を任意に組み合わせてもよい。
【符号の説明】
【００２８】
１０      ：額縁
１１      ：外枠
１２      ：中枠
１３      ：裏板
１４、１５：接続具
１６      ：第一開口部
１７      ：第二開口部
１８      ：鑑賞物
【図１Ａ】
0003233592.tif 000003
【図１Ｂ】
0003233592.tif 000004
【図１Ｃ】
0003233592.tif 000005
【図２】
0003233592.tif 000006
【図３Ａ】
0003233592.tif 000007
【図３Ｂ】
0003233592.tif 000008
【図３Ｃ】
0003233592.tif 000009
【図４】
0003233592.tif 000010
【図５】
0003233592.tif 000011